(57)【要約】      （修正有）【課題】トラフィックが閾値を超えたら、適切な切替え先を判断し、切替えを実行する。【解決手段】切替え元となる切替え元電話番号の集合に対して、トラフィックの閾値、及び切替え先となりうる切替え先電話番号の集合を予め関連付けて記憶する記憶手段１５と、切替え元電話番号の集合のトラフィックを監視するトラフィック監視手段１７と、トラフィックが閾値を超えた場合に、切替え元電話番号の集合に含まれる電話番号について着信先の切替えが必要であると判断し、切替え先電話番号の集合に含まれる電話番号を切替え先電話番号として設定する切替え要否・切替え先判断手段１８と、切替え要否・切替え先判断手段１８から切替え元番号、切替え先番号及び切替え指示を受信すると、これら番号及び指示に対応するトーン信号を切替えシステム外の切替センターへ送信する架電手段１３と、を具備する。【選択図】図１
2007267220.tif 000002
【特許請求の範囲】
【請求項１】
着信先を切替える切替えシステムであって、
切替え元となる切替え元電話番号の集合に対して、トラフィックの閾値、及び切替え先となりうる切替え先電話番号の集合を予め関連付けて記憶する記憶手段と、
前記切替え元電話番号の集合のトラフィックを監視するトラフィック監視手段と、
前記トラフィックが前記閾値を超えた場合に、前記切替え元電話番号の集合に含まれる電話番号について着信先の切替えが必要であると判断し、かつ、前記記憶手段に記憶されている前記切替え先電話番号の集合が２以上ある場合に、各切替え先電話番号の集合のトラフィックを収集し、トラフィックが少ない切替え先電話番号の集合に含まれる電話番号を切替え先電話番号として設定する切替え要否・切替え先判断手段と、
前記切替え要否・切替え先判断手段から切替え元番号、切替え先番号及び切替え指示を受信すると、これら番号及び指示に対応するトーン信号を切替えシステム外の切替えセンターへ送信する架電手段と、
を具備することを特徴とする切替えシステム。
【請求項２】
着信先を切替える切替えシステムであって、
切替え元となる切替え元電話番号の集合に対して、トラフィックの閾値、及び切替え先となりうる切替え先電話番号の集合と各集合の優先度を予め関連付けて記憶する記憶手段と、
前記切替え元電話番号の集合のトラフィックを監視するトラフィック監視手段と、
前記トラフィックが前記閾値を超えた場合に、前記切替え元電話番号の集合に含まれる電話番号について着信先の切替えが必要であると判断し、かつ、前記記憶手段に記憶されている前記切替え先電話番号の集合が２以上ある場合に、前記優先度が高い切替え先電話番号の集合に含まれる電話番号を切替え先電話番号として設定する切替え要否・切替え先判断手段と、
前記切替え要否・切替え先判断手段から切替え元番号、切替え先番号及び切替え指示を受信すると、これら番号及び指示に対応するトーン信号を切替えシステム外の切替えセンターへ送信する架電手段と、
を具備することを特徴とする切替えシステム。
【請求項３】
前記切替えシステムは、さらに音声認識手段を具備し、
前記切替え要否・切替え先判断手段は、切替え指示を送信してから所定時間経過後に、前記切替え元電話番号への架電指示を前記架電手段へ送信し、
前記架電手段は、前記架電指示を受信したら、その切替え元電話番号へ架電し、着信先からの応答音声を前記音声認識手段へ転送し、
前記音声認識手段は、前記応答音声をテキスト化し、そのテキスト化された応答音声と予め記憶されている正常切替え時応答音声テキストとを比較して、両テキストの類似度が閾値以上であれば切替えが正常に行われたと判断し、両テキストの類似度が閾値未満であれば切替えが正常に行われなかったと判断することを特徴とする請求項１又は２に記載の切替えシステム。
【請求項４】
記憶手段とトラフィック監視手段と切替え要否・切替え先判断手段と架電手段を備える切替えシステムを用いて着信先を切替える切替え方法であって、
前記記憶手段は、切替え元となる切替え元電話番号の集合に対して、トラフィックの閾値、及び切替え先となりうる切替え先電話番号の集合を予め関連付けて記憶し、
前記トラフィック監視手段は、前記切替え元電話番号の集合のトラフィックを監視し、
前記切替え要否・切替え先判断手段は、前記トラフィックが前記閾値を超えた場合に、前記切替え元電話番号の集合に含まれる電話番号について着信先の切替えが必要であると判断し、かつ、前記記憶手段に記憶されている前記切替え先電話番号の集合が２以上ある場合に、各切替え先電話番号の集合のトラフィックを収集し、トラフィックが少ない切替え先電話番号の集合に含まれる電話番号を切替え先電話番号として設定し、
前記架電手段は、前記切替え要否・切替え先判断手段から切替え元番号、切替え先番号及び切替え指示を受信すると、これら番号及び指示に対応するトーン信号を切替えシステム外の切替えセンターへ送信する、ことを特徴とする切替え方法。
【請求項５】
記憶手段とトラフィック監視手段と切替え要否・切替え先判断手段と架電手段を備える切替えシステムを用いて着信先を切替える切替え方法であって、
前記記憶手段は、切替え元となる切替え元電話番号の集合に対して、トラフィックの閾値、及び切替え先となりうる切替え先電話番号の集合と各集合の優先度を予め関連付けて記憶し、
前記トラフィック監視手段は、前記切替え元電話番号の集合のトラフィックを監視し、
前記切替え要否・切替え先判断手段は、前記トラフィックが前記閾値を超えた場合に、前記切替え元電話番号の集合に含まれる電話番号について着信先の切替えが必要であると判断し、かつ、前記記憶手段に記憶されている前記切替え先電話番号の集合が２以上ある場合に、各切替え先電話番号の集合の優先度が高い切替え先電話番号の集合に含まれる電話番号を切替え先電話番号として設定し、
前記架電手段は、前記切替え要否・切替え先判断手段から切替え元番号、切替え先番号及び切替え指示を受信すると、これら番号及び指示に対応するトーン信号を切替えシステム外の切替えセンターへ送信する、ことを特徴とする切替え方法。
【請求項６】
前記切替えシステムは、さらに音声認識手段を具備し、
前記切替え要否・切替え先判断手段は、切替え指示を送信してから所定時間経過後に、前記切替え元電話番号への架電指示を前記架電手段へ送信し、
前記架電手段は、前記架電指示を受信したら、その切替え元電話番号へ架電し、着信先からの応答音声を前記音声認識手段へ転送し、
前記音声認識手段は、前記応答音声をテキスト化し、そのテキスト化された応答音声と予め記憶されている正常切替え時応答音声テキストとを比較して、両テキストの類似度が閾値以上であれば切替えが正常に行われたと判断し、両テキストの類似度が閾値未満であれば切替えが正常に行われなかったと判断することを特徴とする請求項４又は５に記載の切替え方法。
【発明の詳細な説明】
【技術分野】
【０００１】
本発明は、電話番号の着信先を切替える切替えシステムおよび切替え方法に関する。
【背景技術】
【０００２】
近年、ＩＰ電話の導入が進んできているが、ＩＰ電話は停電時に使用できなくなってしまう。このため、通常時にＩＰ電話に割り当てられている電話番号を、停電時などにアナログ電話に転送させる技術が開示されている（例えば、特許文献１参照）。
【特許文献１】特開２００５−５８０７号公報
【発明の開示】
【発明が解決しようとする課題】
【０００３】
しかしながら、従来の技術では、着信先電話番号を手動で入力しなければならず、トラフィック（通信量）に応じて自動的に着信先を切替えるものではなかった。
【０００４】
本発明はこのような状況に鑑みてなされたものであり、トラフィックに応じて切替えの要否及びトラフィックなどに応じてその切替え先を判断する。
【課題を解決するための手段】
【０００５】
本発明の第１の特徴は、着信先を切替える切替えシステムであって、切替え元となる切替え元電話番号の集合に対して、トラフィックの閾値、及び切替え先となりうる切替え先電話番号の集合を予め関連付けて記憶する記憶手段と、前記切替え元電話番号の集合のトラフィックを監視するトラフィック監視手段と、前記トラフィックが前記閾値を超えた場合に、前記切替え元電話番号の集合に含まれる電話番号について着信先の切替えが必要であると判断し、かつ、前記記憶手段に記憶されている前記切替え先電話番号の集合が２以上ある場合に、各切替え先電話番号の集合のトラフィックを収集し、トラフィックが少ない切替え先電話番号の集合に含まれる電話番号を切替え先電話番号として設定する切替え要否・切替え先判断手段と、前記切替え要否・切替え先判断手段から切替え元番号、切替え先番号及び切替え指示を受信すると、これら番号及び指示に対応するトーン信号を切替えシステム外の切替センターへ送信する架電手段と、を具備することにある。
【０００６】
「切替え元電話番号の集合」とは、例えば切替え元が東京支店の場合は東京支店が有する複数の電話番号（例えば、03-tttt-ttt1、03-tttt-ttt2、03-tttt-ttt3）を意味し、「切替え先電話番号の集合」とは、例えば切替え先が大坂支店の場合は大阪支店が有する複数の電話番号（例えば、06-kkkk-kkk1、06-kkkk-kkk2、06-kkkk-kkk3）を意味する。そして、「切替え先電話番号の集合が２以上ある場合」とは、例えば切替え先電話番号の集合が、大阪支店が有する複数の電話番号だけでなく、大阪支店が有する複数の電話番号と札幌支店が有する複数の電話番号の場合を意味する。また、トーン信号には、DTMF(Dial Tone Multi Frequency)が含まれる。「切替センター」は、切替元電話番号と切替先電話番号と切替え指示を受け取ると、電話番号と電話回線の対応関係を変更可能な既存技術からなる。例えば、第１の電話回線に第１の電話番号が割り当てられ、また第２の電話回線に第２の電話番号が割り当てられている場合に、切替センターが「切替元：第１の電話番号、切替先：第２の電話番号」という切替指示を受け取り、切替えを実行した後は、第１の電話番号を着信先として発せられた呼は、第２の電話回線に接続された端末に着信する。さらに、「トラフィックを収集し」とは、トラフィックを監視するソフトウェア又はハードウェアからトラフィック状況を受信することを意味する。例えば、東京支店が５０回線を有し、４０回線が使用中の場合、トラフィック状況として「８０％使用中」という報告を受信する。
【０００７】
本発明の第２の特徴は、着信先を切替える切替えシステムであって、切替え元となる切替え元電話番号の集合に対して、トラフィックの閾値、及び切替え先となりうる切替え先電話番号の集合と各集合の優先度を予め関連付けて記憶する記憶手段と、前記切替え元電話番号の集合のトラフィックを監視するトラフィック監視手段と、前記トラフィックが前記閾値を超えた場合に、前記切替え元電話番号の集合に含まれる電話番号について着信先の切替えが必要であると判断し、かつ、前記記憶手段に記憶されている前記切替え先電話番号の集合が２以上ある場合に、前記優先度が高い切替え先電話番号の集合に含まれる電話番号を切替え先電話番号として設定する切替え要否・切替え先判断手段と、前記切替え要否・切替え先判断手段から切替え元番号、切替え先番号及び切替え指示を受信すると、これら番号及び指示に対応するトーン信号を切替えシステム外の切替えセンターへ送信する架電手段と、を具備することにある。
【０００８】
本発明の第３の特徴は、切替えシステムが、さらに音声認識手段を具備し、前記切替え要否・切替え先判断手段は、切替え指示を送信してから所定時間経過後に、前記切替え元電話番号への架電指示を前記架電手段へ送信し、前記架電手段は、前記架電指示を受信したら、その切替え元電話番号へ架電し、着信先からの応答音声を前記音声認識手段へ転送し、前記音声認識手段は、前記応答音声をテキスト化し、そのテキスト化された応答音声と予め記憶されている正常切替え時応答音声テキストとを比較して、両テキストの類似度が閾値以上であれば切替えが正常に行われたと判断し、両テキストの類似度が閾値未満であれば切替えが正常に行われなかったと判断することにある。
【発明の効果】
【０００９】
本発明の第１の特徴によれば、着信元電話回線のトラフィックが閾値を超えると、その着信元電話回線に関連付けられている２以上の着信先電話回線中のトラフィックの少ない回線が着信先として設定される。例えば、東京支店の回線のトラフィックが閾値を超えると、大阪支店と札幌支店の内のトラフィックが少ない方の支店の回線が、着信先として設定される。
【００１０】
本発明の第２の特徴によれば、着信元電話回線のトラフィックが閾値を超えると、その着信元電話回線に関連付けられている２以上の着信先電話回線中の優先度の高い回線が着信先として設定される。例えば、東京支店の回線のトラフィックが閾値を超えると、大阪支店と札幌支店の内の優先度が高い方の支店の回線が、着信先として設定される。
【００１１】
本発明の第３の特徴によれば、切替えが正常に行われたか否かを確認することができる。
【発明を実施するための最良の形態】
【００１２】
以下に図面に基づいて、本発明を実施するための最良の形態を説明する。なお、以下の説明は、単なる例示に過ぎず、本発明の技術的範囲は以下の説明によって限定されるものではない。
【００１３】
図５に、本発明の実施形態の概念図を示す。本発明の実施形態においては、図５に示すように、札幌、東京、大阪及び那覇の各支店に所定数の電話番号が割り当てられているとする。そして、東京支店の使用回線が閾値を超えてしまった場合には、東京支店の電話番号がダイヤルされた場合であっても、札幌支店、大阪支店又は那覇支店の電話機に着呼させる。
【００１４】
図１は、本発明の実施の形態に係る切替えシステムの全体構成を示す図である。図２は、図１の切替えシステムを構成するデータベース（DB）の記憶内容の一例を示す。
【００１５】
図１に示すように、切替えシステム１０は、音声認識装置１２、架電装置１３、Webサーバ１４、DB１５、トラフィック監視装置１７及び切替え要否・切替え先判断装置１８を含む。音声認識装置１２、架電装置１３、Webサーバ１４、トラフィック監視装置１７及び切替え要否・切替え先判断装置１８は、ＬＡＮ１６を介して接続されている。ＬＡＮ１６にはVoIPGW（Voice over Internet Protocol Gateway）１１も接続されている。
【００１６】
図２に示すように、DB１５には、支店番号、支店名、閾値、重み優先か否か、切替え元電話番号、優先度及び切替え先電話番号が、記憶されている。
【００１７】
トラフィック監視装置１７は、DB１５に切替え元として記憶されている電話番号への着信数を監視し、監視結果を定期的に切替え要否・切替え先判断装置１８に報告している。そして、着信数が閾値を超えたら、切替え要否・切替え先判断装置１８は切替えが必要と判断する。
【００１８】
Webサーバ１４は、切替え要否・切替え先判断装置１８から切替え指示、切替え元電話番号、及び切替え先電話番号を受信する。また、Webサーバ１４は、架電装置１３に切替えコマンド、切替え元電話番号、切替え先電話番号を切替えセンター２２へ送信させること、及び架電装置１３に切替え元電話番号へ架電させることができる。さらに、Webサーバ１４は、音声認識装置１２から切替えが正常に行われたか否か（切替え結果）を受信することができる。
【００１９】
音声認識装置１２は、着信先電話（切替えが正常に行われた場合は、切替え先電話。切替えが正常に行われなかった場合は、切替え元電話。）から架電装置１３が受け取った応答音声をテキストファイル化し、予め登録されているテキストファイルと比較することができる。そして、テキストファイル化した応答音声の内容と予め登録されているテキストファイルの内容とを比較し、両ファイルの内容の類似度が閾値以上の場合は、切替えが正常に行われたと判断し、両ファイルの内容の類似度が閾値未満の場合は、切替えが正常に行われたと判断する。そして、その判断結果（比較結果）をWebサーバ１４へ返す。
【００２０】
架電装置１３は、切替え要否・切替え先判断装置１８から受け取った切替え元電話番号、切替え先電話番号及び切替え指示に従って、VoIPGW１１及び公衆網２１を経て、電話回線切替えセンター２２へDTMF(Dial Tone Multi Frequency)を発呼する。また、架電先から返される自動音声応答（ＩＶＲ：Interactive Voice Response）やオペレータの音声を音声認識装置１２へ渡す。さらに、回線が切替わったことを確認するために、回線切替え指示後に切替え元電話番号に架電する。
【００２１】
図３は、本発明の実施の形態に係る切替えシステムが切替えの要否及び切替え先を判断する処理の流れを示すフローチャートである。図３に示すように、ステップＳ１０３で、切替え要否・切替え先判断装置１８は、システム入呼数と閾値を比較する。
【００２２】
入呼数が閾値を超えていない場合は、ループ開始端へ戻る。入呼数が閾値を超えている場合は、ステップＳ１０５へ進む。ステップＳ１０５へ進むということは、切替えが必要と判断されたことを意味する。ステップＳ１０５では、ＤＢ１５に複数の切替え先電話番号の集合が記憶されているかを調べる。複数の切替え先電話番号の集合が記憶されていない場合、ステップＳ１０７へ進む。ステップＳ１０７では、登録された切替え先電話番号の集合の中で先頭の着信先に着信設定を変更する。
【００２３】
図２の例では、札幌支店の閾値は８０％である。よって、札幌支店への着信数が、札幌支店が有するの電話回線の８０％を超えたら、切替えが必要と判断される。そして、札幌支店に関しては、切替え先電話番号の集合として市外局番が「０３」の電話番号の集合のみが記憶されている。つまり、切替え先電話番号の「複数の集合」が記憶されていない。よって、札幌支店に関して切替えが必要と判断されると、登録された切替え先電話番号の集合の中で先頭の電話番号「03-tttt-ttt1」が切替え先となる。
【００２４】
なお、図２の例では、切替え先の電話番号は、市外局番によってグループ分けされているが、これは一例に過ぎず、同一市外局番内で２以上のグループに分けても良い。
【００２５】
ＤＢ１５に複数の切替え先電話番号の集合が記憶されている場合、図３のステップＳ１０９へ進む。ステップＳ１０９では、回線の重みを優先するかを調べる。重みを優先しない場合は、ステップＳ１１９へ進む。ステップＳ１１９では、登録された切替え先の現在のトラフィックを収集する。そして、ステップＳ１２１では、トラフィックを計算し、トラフィックの少ない順にリストアップする。さらに、ステップＳ１２３では、トラフィックの少ない切替え先候補のいずれかを切替え先として設定する。
【００２６】
図２の例では、東京（切替え元）に関しては、重み優先は「ＮＯ」、つまり回線の重みを優先しない。このため、ステップＳ１１９へ進む。そして、切替え先の候補として登録された市外局番「011」の札幌の回線と、市外局番「06」の大阪の回線について、現在のトラフィックを収集する。そして、札幌のトラフィックと大阪のトラフィックを計算し、札幌のトラフィックの方が少ない場合は、札幌の電話番号「011-sss-sss1」「011-sss-sss2」「011-sss-sss3」・・・のいずれかを切替え先として設定する。また、大阪のトラフィックの方が少ない場合は、大阪の電話番号「06-kkkk-kkk1」「06-kkkk-kkk2」「06-kkkk-kkk3」・・・のいずれかを切替え先として設定する。
【００２７】
回線の重みを優先する場合、図３のステップＳ１１３へ進む。ステップＳ１１３では、優先度が設定されているかを調べる。優先度が設定されている場合は、ステップＳ１１５へ進む。ステップＳ１１５では、優先度の高い切替え先候補を切替え先として設定する。
【００２８】
図２の例では、大阪（切替え元）に関しては、重み優先は「ＹＥＳ」、つまり回線の重みを優先する。このため、ステップＳ１１３へ進む。そして、切替え先の候補として登録された市外局番「03」の東京の回線と、市外局番「098」の那覇の回線について、優先度が設定されているかを調べる。そして、東京の回線に優先度「高」が設定されているので、東京の電話番号「03-tttt-ttt1」「03-tttt-ttt2」「03-tttt-ttt3」・・・のいずれかを切替え先として設定する。
【００２９】
優先度が設定されていない場合、図３のステップＳ１１７へ進む。ステップＳ１１７では、登録された切替え先候補をラウンドロビンで切替え先として設定する。
【００３０】
図２の例では、那覇（切替え元）に関しては、重み優先は「ＹＥＳ」、つまり回線の重みを優先する。このため、ステップＳ１１３へ進む。そして、切替え先の候補として登録された市外局番「03」の東京の回線と、市外局番「06」の大阪の回線について、優先度が設定されているかを調べる。しかし、東京又は大阪の回線のいずれにも優先度は設定されていないので、「03-tttt-ttt1」を切替え先として設定したら、次は「06-kkkk-kkk1」を切替え先として設定し、その次は「03-tttt-ttt2」を切替え先として設定し、その次は「06-kkkk-kkk2」を切替え先として設定するなどして、東京の電話番号「03-tttt-ttt1」「03-tttt-ttt2」「03-tttt-ttt3」・・・と大阪の電話番号「06-kkkk-kkk1」「06-kkkk-kkk2」「06-kkkk-kkk3」・・・をラウンドロビンで切替え先として設定する。
【００３１】
ステップＳ１２５では、予め設定した時間間隔で再びループを繰り返す。前記の如く、本実施形態においては、トラフィック監視装置１７は、トラフィックを監視し、トラフィックが閾値を超えたら、切替え要否・切替え先判断装置１８は、切替えが必要と判断する。そして、切替え先の電話番号の集合が複数か、回線の重みを優先するか、優先度が設定されているかに基づいて切替え先を決定（判断）する。
【００３２】
図４に、本発明の実施形態において切替え先が決定された後の処理の流れを示す。図４のステップＳ２０３では、切替え要否・切替え先判断装置１８が、回線切替えを指示するコマンド、切替え元の電話番号及び切替え先の電話番号を、架電装置１３へ送信する。
【００３３】
ステップＳ２０５では、架電装置１３が、電話回線切替えセンター２２へ架電し、切替え元の電話番号から、切替え先の電話番号への切替えを指示する。電話回線切替えセンター２２は、切替え指示を受け取ると、切替え元電話番号の着信先を、切替え先電話番号へ変更する。
【００３４】
これによって、切替え元の電話番号に対する呼が発せられると、電話回線切替えセンター２２は、切替え先の電話機を着信先とする呼を発するので、切替え先の電話機に着信する。
【００３５】
ステップＳ２０７では、切替えが成功したことを確認するために、切替え要否・切替え先判断装置１８は切替え元の電話番号への架電を、架電装置１３へ指示する。ステップＳ２０９では、架電装置１３は切替え元の電話番号へ架電する。ステップＳ２１１では、架電装置１３は着信先の電話から応答を受け取る。ステップＳ２１３では、架電装置１３は着信先の電話から受け取った応答音声を、音声認識装置１２へ渡す。
【００３６】
ステップＳ２１５では、音声認識装置１２は、架電装置１３から受け取った応答音声をテキストファイル化し、予め記憶手段（図示せず）に記憶されていたテキストファイルと比較し、両テキストの類似度が閾値以上か否かを判断する。両テキストの類似度が閾値以上の場合は、切替えが正常に行われたと判断し、両テキストの類似度が閾値未満の場合は、切替えが正常に行われなかったと判断する。そして、判断結果（チェック結果）をWebサーバ１４へ送る。
【００３７】
例えば、（１）第１の電話回線に第１の電話番号が割り当てられ、第２の電話回線に第２の電話番号が割り当てられていて、（２）第１の電話回線に接続されている端末に着信したときの応答音声の周波数波形（第１波形）と、第２の電話回線に接続されている端末に着信したときの応答音声の周波数波形（第２波形）を予め記憶しておき、（３）第１の電話番号の着信先を第２の電話回線に接続されている端末へ切替える処理を指示したとする。そして切替えを指示した後に、第１の電話番号を着信先とする呼を発生し、着信先から返ってきた応答音声の周波数波形が第１波形と同一であるか又は第１波形に類似する場合は、第１の電話回線に接続されている端末に着信した、つまり切替えは失敗したと判断する。一方、着信先から返ってきた応答音声の周波数波形が第２波形と同一か又は第２波形に類似する場合は、第２の電話回線に接続されている端末に着信した、つまり切替えは成功したと判断する。
【００３８】
また、周波数波形の類似度に基づいて判断する代わりに、（１）既存の音声認識エンジンを用いて応答音声をテキストデータに変換し、（２）テキストを多次元空間中のベクトル（文章ベクトル）として表現し、文章ベクトルに基づいて文章間（応答音声から得られたテキストデータと、予め記憶されているテキストデータ）の類似度や距離を求めて、（３）切替えが正常に行われたかを判断しても良い。
【００３９】
ステップS２１７では、Webサーバ１４は、音声認識装置１２から受け取ったチェック結果をデータベース１５に書き込むと共に、HTML(HyperText  Markup Language)などで記述されたチェック結果表示画面構成情報を生成する。
【００４０】
ユーザは、Webブラウザを用いて、生成されたチェック結果表示画面を閲覧することができる。閲覧することによって、どの支店の電話番号が、どの支店へ切替えられたかなどを確認することができる。
【００４１】
前記の如く、本発明の実施の形態によれば、トラフィックが閾値を超えたら、切替えが必要であると判断され、予め設定された条件やリアルタイムのトラフィックに基づいて、切替え先候補中から切替え先電話番号が選択される。そして、選択された電話番号や切替え指示を、架電手段によってDTMFなどのトーン信号に変換することによって、電話回線切替えセンターに自動で着信の切替え先を指示することができる。さらに、着信先からの応答音声と予め登録されているテキストとを比較し、その類似度に基づいて、切替えが正常に行われたか否かを確認することができる。
【図面の簡単な説明】
【００４２】
【図１】本発明の実施の形態に係る切替えシステムの全体構成を示す図である。
【図２】図１の切替えシステムを構成するデータベース（DB）の記憶内容の一例を示す。
【図３】本発明の実施の形態に係る切替えシステムが切替えの要否及び切替え先を判断する処理の流れを示すフローチャートである。
【図４】本発明の実施形態において切替え先が決定された後の処理の流れを示すフローチャートである。
【図５】本発明の実施形態の概念図である。
【符号の説明】
【００４３】
１０…切替えシステム
１１…VoIPGW
１２…音声認識装置
１３…架電装置
１４…Webサーバ
１５…DB
１６…ＬＡＮ
１７…トラフィック監視装置
１８…切替え要否・切替え先判断装置
２１…公衆網
２２…電話回線切替えセンター
【図１】
2007267220.tif 000003
【図２】
2007267220.tif 000004
【図３】
2007267220.tif 000005
【図４】
2007267220.tif 000006
【図５】
2007267220.tif 000007